(57)【要約】      （修正有）【課題】自在に開閉することができるソーラーパネルを提供する。【解決手段】台座１０と、台座１０に固定される底部基板２１を有するソーラーパネル本体２０と、底部基板２１に挿設されて下端が台座１０の内部に位置するネジ棒３１及びネジ棒３１に取り付けられるナット３２とを有するボールネジ３０と、ナット３２に固定される上部カバー４３及び上端が上部カバー４３の周囲に枢設される複数の上部連接棒４１とを有する連接棒ユニット４０とを備える。底部基板２１の周囲に複数の横基板２２が枢設されると共に、隣接する２つの横基板２２の間にそれぞれ、２つの折畳基板２３が枢設される。上部カバー４３にネジ棒３１が挿設され、複数の上部連接棒４１の下端にそれぞれ下部連接棒が枢設され、各下部連接棒の上端は摺動可能に対応する折畳基板２３の間に設置され、各下部連接棒の下端は、台座１０の中央部に枢設される。【選択図】図１
0003166603.tif 000002
【実用新案登録請求の範囲】
【請求項１】
内部に位置決め板が設けられる台座と、
中央部に通孔が形成されると共に、複数の長穴が形成される底部基板を有するソーラーパネル本体と、
前記底部基板の通孔に挿設されると共に、下端が台座の内部に位置するネジ棒と、該ネジ棒に取り付けられるナットとを有するボールねじと、
上部カバーと、上端が該上部カバーの周囲に枢設される複数の上部連接棒とを有する連接棒ユニットとを備え、
前記底部基板は、台座に固定され、その周囲に複数の横基板が枢設されると共に、隣接する２つの横基板の間にそれぞれ２つの折畳基板が枢設され、該２つの折畳基板の隣接部位は、底部基板における長穴と対応すると共に、互いに枢設され、
前記上部カバーはナットに固定され、上部カバーに穿孔が形成されると共に、該穿孔に前記ネジ棒が挿設され、前記複数の上部連接棒の下端にそれぞれ下部連接棒が枢設され、該各下部連接棒の上端は摺動可能にそれぞれ対応する、隣接する２つの折畳基板の間に設置され、該各下部連接棒の下端は、底部基板の長穴において摺動可能に前記台座の位置決め板の中央部に枢設されることを特徴とする開閉式ソーラーパネル。
【請求項２】
前記任意の隣接する２つの折畳基板の間にそれぞれ２つの蝶番が設けられ、該２つの蝶番はそれぞれ、対応する折畳基板に取り付けられると共に、該２つの蝶番にスライドロッドが挿設され、
前記下部連接棒の上端にそれぞれパイプが枢設され、該各パイプに、対応するスライドロッドが挿設されることを特徴とする請求項１に記載の開閉式ソーラーパネル。
【請求項３】
前記横基板における底部基板と反対する側に上部基板が枢設され、該上部基板と前記折畳基板とを横基板に枢設する手段として、隣接する２つの基板にそれぞれ１つの蝶番が設置されると共に、各基板の側辺における蝶番に枢軸が挿設され、その内、該横基板と折畳基板との間の枢軸は、折畳基板側の蝶番に固定されると共に、該上部基板と隣接する一端にヘリカルギアが設けられ、該横基板と上部基板との間の枢軸が該上部基板側の蝶番に固定されると共に、一端にヘリカルギアが設けられ、該ヘリカルギアは、横基板と折畳基板との間の枢軸における対応するヘリカルギアに噛合されることを特徴とする請求項１または２に記載の開閉式ソーラーパネル。
【請求項４】
前記底部基板は六角形を呈し、その６つの側辺にそれぞれ矩形の横基板が枢設されると共に、任意の隣接する２つの横基板の間に、三角形を呈する２つの折畳基板が枢設され、また、前記連接棒ユニットが６つであることを特徴とする請求項１ないし３の何れか一項に記載の開閉式ソーラーパネル。
【請求項５】
前記台座の内部にモータが設置されると共に、該モータの駆動軸が前記ネジ棒の下端と連結されることを特徴とする請求項１ないし４の何れか一項に記載の開閉式ソーラーパネル。
【考案の詳細な説明】
【技術分野】
【０００１】
本考案は、特に収納及び運搬が非常に容易な開閉式ソーラーパネルに関するものである。
【背景技術】
【０００２】
ソーラーパネルは、光電効果を有する半導体プレートであり、ソーラーチップ、ソーラー電池または光電池とも呼ばれ、太陽光の照射により発電することができる。また、太陽光による発電は、二酸化炭素などの温室効果ガスが発生しないことから、埋蔵量が少なくなるにつれて価額が高騰する石油による発電に比べ、実に環境に優しい再生可能なエネルギーであるので、石油に代わって次世代のエネルギーになるものと期待されている。
【０００３】
上記ソーラープレートは、通常、単結晶シリコンまたは多結晶シリコンからなるものであり、太陽光の照射により電気を生じる受光面が、太陽光に照射されやすい箇所、例えば、広場や屋上などの高所に設置される。
【考案の概要】
【考案が解決しようとする課題】
【０００４】
上記ソーラーパネルの発電量は、受光面積によって決まるので、大面積のソーラーパネルを使用すれば発電量を向上することができるが、面積が大きければ運搬や収納も難しくなるので、例えば、大雨や台風などの悪天候時に、収納が間に合わずに受光面が破損し、使用寿命や発電力の低下などを招く恐れがある。
【０００５】
そこで、案出されたのが本考案であって、複数の基板を互いに枢設することによって自在に開閉することができるソーラーパネルを提供することを目的としている。
【課題を解決するための手段】
【０００６】
本考案は、上記の目的を達成するために、内部に位置決め板が設けられる台座と、中央部に通孔が形成されると共に、複数の長穴が形成される底部基板を有するソーラーパネル本体と、該底部基板の通孔に挿設されると共に、下端が台座の内部に位置するネジ棒と、該ネジ棒に取り付けられるナットとを有するボールねじと、上部カバーと、上端が該上部カバーの周囲に枢設される複数の上部連接棒とを有する連接棒ユニットとを備え、該底部基板は、台座に固定され、その周囲に複数の横基板が枢設されると共に、隣接する２つの横基板の間にそれぞれ２つの折畳基板が枢設され、該２つの折畳基板の隣接部位は、底部基板における長穴と対応すると共に、互いに枢設され、該上部カバーはナットに固定され、上部カバーに穿孔が形成されると共に、該穿孔に前記ネジ棒が挿設され、該複数の上部連接棒の下端にそれぞれ下部連接棒が枢設され、該各下部連接棒の上端は摺動可能にそれぞれ対応する、隣接する２つの折畳基板の間に設置され、該各下部連接棒の下端は、底部基板の長穴において摺動可能に前記台座の位置決め板の中央部に枢設されることを特徴とする開閉式ソーラーパネルを提供するものである。
【０００７】
また、前記下部連接棒と折畳基板とを連結させるために、該任意の隣接する2つの折畳基板の間にそれぞれ２つの蝶番が設けられ、該２つの蝶番はそれぞれ、対応する折畳基板に取り付けられると共に、該２つの蝶番にスライドロッドが挿設され、該下部連接棒の上端にそれぞれパイプが枢設され、該各パイプに対応のスライドロッドが挿設される。
【０００８】
更に、前記横基板における底部基板側と反対する側に上部基板が枢設され、該上部基板と前記折畳基板とを横基板に枢設する手段として、隣接する２つの基板にそれぞれ１つの蝶番が設置されると共に、各基板の側辺における蝶番に枢軸が挿設され、その内、該横基板と折畳基板との間の枢軸は、折畳基板側の蝶番に固定されると共に、該上部基板と隣接する一端にヘリカルギアが設けられ、該横基板と上部基板との間の枢軸が上部基板側の蝶番に固定されると共に、一端にヘリカルギアが設けられ、該ヘリカルギアは、横基板と折畳基板との間の枢軸における対応するヘリカルギアに噛合される。
【０００９】
前記各基板の形状としては、底部基板が六角形を呈すると共に、横基板が矩形を呈し、任意の隣接する２つの横基板の間に枢設される折畳基板が三角形を呈することが好ましい。また、この実施例の場合、前記連接棒ユニットは６つである。
【００１０】
更に、前記台座の内部にモータを設置し、該モータの駆動軸によって前記ネジ棒を駆動させてもよい。
【考案の効果】
【００１１】
本考案は前記問題を解決するものであり、ボールねじを駆動して連接棒ユニットを作動させ、折畳基板、横基板及び上部基板を移動させることにより、ソーラーパネル本体を開閉できることから、悪天候時に、各基板の受光面を遮蔽することによって破損などによる損害を防止することができるので、ソーラーパネルの使用寿命を延長し、発電力を維持することができると共に、ソーラーパネル本体の体積も小さくできる。
【図面の簡単な説明】
【００１２】
【図１】本考案に係る開閉式ソーラーパネルの開いた状態における斜視図である。
【図２】本考案に係る開閉式ソーラーパネルの開いた状態における断面図である。
【図３】本考案に係る開閉式ソーラーパネルにおけるソーラーパネル本体の一部平面図である。
【図４】本考案に係る開閉式ソーラーパネルにおける一部分解斜視図。
【図５】本考案に係る開閉式ソーラーパネルの開閉操作中における断面図である。
【図６】本考案に係る開閉式ソーラーパネルの閉じた状態における断面図である。
【図７】本考案に係る開閉式ソーラーパネルの閉じた状態における斜視図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１及び図２に示すように、本考案の開閉式ソーラーパネルは、台座１０と、ソーラーパネル本体２０、ボールネジ３０と、連接棒ユニット４０とを備え、その内、台座１０は内部空間を有し、該内部空間に位置決め板１１が設けられると共に、該位置決め板１１の上面に支持台１２が設置され、該支持台１２における台座１０の中心と対応する部位に位置決めリング１３が形成される。尚、前記台座１０の内部には、モータ（図示せず）を設置することができる。
【００１５】
前記ソーラーパネル本体２０は、中央部に通孔２１１が形成されると共に、複数の長穴２１２が形成される底部基板２１を有し、該底部基板２１の周囲に複数の横基板２２が枢設されると共に、隣接する２つの横基板２２の間にそれぞれ、２つの折畳基板２３が枢設され、更に、それらの横基板２２における底部基板２１と反対する側に上部基板２４が枢設され、底部基板２１は、前記台座１０に固定される。
図３及び図４に示すように、上部基板２４と折畳基板２３とを横基板２２に枢設する手段として、横基板２２と折畳基板２３とが隣接する側辺にそれぞれ蝶番２６が、横基板２２と上部基板２４とが隣接する側辺にそれぞれ蝶番２６Ａが設置されると共に、該各基板２２、２３、２４の側辺における蝶番２６、２６Ａに、対応する枢軸２５、２５Ａが挿設され、その内、横基板２２と折畳基板２３との間の枢軸２５が、折畳基板２３側の蝶番２６に固定されると共に、該上部基板２４と隣接する一端にヘリカルギア２７が設けられ、該横基板２２と上部基板２４との間の枢軸２５Ａが、該上部基板２４側の蝶番２６Ａに固定されると共に、一端に、対応するヘリカルギアに噛合されるヘリカルギア２７Ａが設けられる。
また、前記任意の隣接する２つの折畳基板２３の隣接部位は、底部基板２１における長穴２１２と対応すると共に、任意の隣接する２つの折畳基板２３の間にそれぞれ２つの蝶番２６Ｂが設けられ、該２つの蝶番２６Ｂはそれぞれ対応する折畳基板２３に取り付けられると共に、該２つの蝶番２６Ｂにスライドロッド２５Ｂが挿設される。
【００１６】
前記ボールネジ３０は、ネジ棒３１と、該ネジ棒３１に取り付けられるナット３２とを有し、その内ネジ棒３１は、下端が台座１０の内部に位置するように前記底部基板２１の通孔２１１と台座１０の位置決めリング１３に挿設されると共に、その下端に前記モータの駆動軸が連結され、該ナット３２の内部にボールが設けられ、これにより、該ネジ棒３１に対して直線運動することができる。
【００１７】
前記連接棒ユニット４０は、前記ナット３２に固定される上部カバー４３と、上端が該上部カバー４３の周囲に枢設される複数の上部連接棒４１とを有し、その内上部カバー４３に穿孔４３１が形成されると共に、該穿孔４３１に前記ネジ棒３１が挿設され、更に、該複数の上部連接棒４１の下端にそれぞれ下部連接棒４２が枢設され、該各下部連接棒４２の上端にそれぞれパイプ４４が枢設されると共に、該各パイプ４４に、対応するスライドロッド２５Ｂが挿設され、該各下部連接棒４２の下端が、底部基板２１の長穴２１２において摺動可能に前記台座１０の位置決め板１１の中央部に枢設される。
【００１８】
図に示す実施例においては、底部基板２１が六角形を呈し、その６つの側辺にそれぞれ矩形の横基板２２が枢設されると共に、任意の隣接する２つの横基板２２の間に、三角形を呈する２つの折畳基板２３が枢設され、また、前記上部基板２４は台形を呈すると共に、前記上部カバー４３は六角形を呈し、該上部基板２４の上辺は、上部カバー４３の側辺と対応しており、更に前記連接棒ユニット４０の数量は６つである。
【００１９】
図５に示すように、ソーラーパネル本体２０を折畳む時は、先ずモータまたは人力でネジ棒３１を回転させてナット３１を上昇させ、下部連接棒４２を、底部基板２１の長穴２１２における中央部へ移動させると共に、該下部連接棒４２の上端に枢設されるパイプ４４を、スライドロッド２５Ｂに対して摺動させて折畳基板２３と横基板２２を中央部に引き寄せて折畳む。更に、本考案によれば、図３に示すように、それと同時に枢軸２５を回転させてヘリカルギア２７とヘリカルギア２７Ａを介して枢軸２５Ａを回転させるので、該枢軸２５Ａと固定する上部基板２４も折畳むことができる。
【００２０】
図６及び図７に示すように、本考案が折畳まれた状態では、上部基板２４の上辺は上部カバー４３の側辺に当接した状態であると共に、横基板２３は直立状を呈し、また、上部連接棒４１と下部連接棒４２はネジ棒３１に近接していると共に、隣接する２つの折畳基板２２は折畳まれて横基板２３により囲まれた空間内に収納され、ソーラーパネル全体が六角形となる。この状態では、展開時に比べて体積が小さくなることから、運搬や収納が容易であるだけでなく、各基板２１,２２,２３,２４の受光面が遮蔽されるので、破損による寿命の短縮や発電力の低下を防ぐことができる。また、使用時は、ナット３２をボルト３１の下方に移動させて連接棒ユニット４０を動かせば、各基板２１,２２,２３,２４の受光面を、太陽光に照射されやすい同一平面上に位置させることができる。
【符号の説明】
【００２１】
１０                        台座
１１                        位置決め板
１２                        支持台
１３                        位置決めリング
２０                        ソーラーパネル本体
２１                        底部基板
２１１                      通孔
２２                        横基板
２３                        折畳基板
２４                        上部基板
２５、２５Ａ                枢軸
２５Ｂ                      スライドロッド
２６、２６Ａ、２６Ｂ        蝶番
２７、２７Ａ                ヘリカルギア
３０                        ボールネジ
３１                        ネジ棒
３２                        ナット
４０                        連接棒ユニット
４１                        上部連接棒
４２                        下部連接棒
４３                        上部カバー
４３１                      穿孔
４４                        パイプ
【図１】
0003166603.tif 000003
【図２】
0003166603.tif 000004
【図３】
0003166603.tif 000005
【図４】
0003166603.tif 000006
【図５】
0003166603.tif 000007
【図６】
0003166603.tif 000008
【図７】
0003166603.tif 000009